(57)【要約】【課題】異径メダルを排出させることが出来るメダル洗浄機を提供する。【解決手段】ホッパー２内のメダルＭを１個ずつメダル搬送レール３へ送出するメダル送出手段４と、メダル搬送レール３で搬送中のメダルＭを洗浄する洗浄手段と、乾燥手段とからなり、メダル搬送レール３が、一対の帯板２６ａ，２６ａと一対の側板２６ｂ，２６ｂとで形成され、各側板２６ｂにはメダルＭの直径より狭小な開口幅の貫通溝２６ｃが開口しているメダル洗浄機において、メダル搬送レール３の所要箇所にメダルＭより径小の異径メダルが抜け出し可能な排出用切欠部２９，２９を一方の側板２６ｂの貫通溝２６ｃに形成し、他方の側板２６ｂの貫通溝２６ｃから搬送中のメダルの片面側を押圧する押圧手段を設けてなる異径メダル排出装置Ａを設ける。【選択図】図３
2005143780.tif 000002
【特許請求の範囲】
【請求項１】
メダルを収容するホッパーと、ホッパーに接続されたメダル搬送レールと、ホッパー内のメダルを１個ずつメダル搬送レールへ送出するメダル送出手段と、メダル搬送レールの一部を洗浄用水槽中に浸漬させて、搬送中のメダルを洗浄する洗浄手段と、洗浄後のメダルを乾燥させる乾燥手段とを備え、メダル搬送レールが、所定径のメダルの両端部を支持する一対の帯板と前記メダルの両側面を支持する一対の側板とにより形成されると共に、各側板には前記メダルの直径よりも狭小な開口幅の貫通溝が開口しているメダル洗浄機において、
メダル搬送レールの所要箇所に、前記所定径のメダルよりも径小の異径メダルが貫通溝から外へ抜け出し可能なメダル排出用切欠部を一方の側板の貫通溝の開口端縁部に形成すると共に、バネにより付勢されて、他方の側板の貫通溝から搬送中のメダルの片面側を押圧する押圧手段を設け、搬送中のメダルに異径メダルが混入している時その異径メダルを押圧手段により押圧して排出用切欠部から排出させるようにした異径メダル排出装置を設けてなるメダル洗浄機。
【請求項２】
押圧手段は、その軸がメダル搬送レールの長手方向と直交する方向に配置されるローラーからなる請求項１に記載のメダル送出搬送装置における異径メダル排出装置。
【発明の詳細な説明】
【技術分野】
【０００１】
本発明は、パチスロ、ゲーム機等のメダル遊戯機に使用されるメダルを洗浄するメダル洗浄機に関するものである。
【背景技術】
【０００２】
メダル遊戯機に使用されるメダルを洗浄するメダル洗浄機は、例えば引用文献１に記載されているように、メダルを収容するホッパーと、ホッパーに接続されたメダル搬送レールと、ホッパーの底部でメダルを旋回させながら１個ずつメダル搬送レールへ送出するメダル送出手段と、メダル搬送レールの一部を洗浄用水槽に浸漬させて、搬送中のメダルをブラッシングする洗浄手段と、洗浄後のメダルを乾燥させる乾燥手段とからなるもので、メダル搬送レールは、メダルの両端部を支持する一対の帯板と、メダルの両側面を支持する一対の側板とによって形成されると共に、各側板には前記メダルの直径よりも狭小な開口幅の貫通溝が開口している。
【特許文献１】特許第３１３５５２２号
【発明の開示】
【発明が解決しようとする課題】
【０００３】
このようなメダル洗浄機に適用されるメダルは、所定の直径のものに限られる。これは、メダル搬送レールが一定の直径のメダルしか搬送しないようになっているからである。然るに、メダルの洗浄にあたってホッパーに収容されたメダルの中に、適用可能な直径以外の異径メダルが混入している場合、例えば適用可能なメダルの直径を３０ｍｍとして、それもより小さい直径２５ｍｍのメダルはホッパーからメダル搬送レールへ送り込まれることになる。
【０００４】
上記のように所定径の正常メダルより小径の異径メダルは、メダル搬送レールへ送出されるけれども、その搬送中に何らかのトラブルを起こす原因となるため、メダル搬送レールから排出させる必要がある。しかしながら、上記のような従来装置では、そのような異径メダルを搬送途中で排出させることが出来なかった。
【０００５】
本発明は、上記の課題に鑑み、メダル搬送レールを搬送中のメダルに異径メダルが混入している時その異径メダルをメダル搬送レールから排出させることが出来るメダル洗浄機を提供することを目的とする。
【課題を解決するための手段】
【０００６】
請求項１に係る発明のメダル洗浄機は、メダルＭを収容するホッパー２と、ホッパー２に接続されたメダル搬送レール３と、ホッパー２内のメダルＭを１個ずつメダル搬送レール３へ送出するメダル送出手段４と、メダル搬送レール３の一部を洗浄用水槽６に浸漬させて、搬送中のメダルＭを洗浄する洗浄手段５と、洗浄後のメダルを乾燥させる乾燥手段９とを備え、メダル搬送レール３が、所定径のメダルＭの両端部を支持する一対の帯板２６ａ，２６ａと前記メダルＭの両側面を支持する一対の側板２６ｂ，２６ｂとにより形成されると共に、各側板２６ｂには前記メダルＭの直径よりも狭小な開口幅の貫通溝２６ｃが開口しているメダル洗浄機において、メダル搬送レール３の所要箇所に、前記所定径のメダルＭよりも径小の異径メダルＭｓが貫通溝２６ｃから外へ抜け出し可能な排出用切欠部２９，２９を一方の側板２６ｂの貫通溝２６ｃの開口端縁部に形成すると共に、バネ３０により付勢されて、他方の側板２６ｂの貫通溝２６ｃから搬送中のメダルＭ，Ｍｓの片面側を押圧する押圧手段３１を設け、搬送中のメダルＭに異径メダルＭｓが混入している時その異径メダルＭｓを押圧手段３１により押圧して排出用切欠部２９から排出させるようにした異径メダル排出装置Ａを設けてなることを特徴とする。
【０００７】
請求項２は、請求項１に記載のメダル洗浄機において、押圧手段３１は、その軸３６がメダル搬送レール３の長手方向と直交する方向に配置される押えローラー３７からなることを特徴とする。
【発明の効果】
【０００８】
請求項１に係る発明によれば、所定径の正常メダルＭが異径メダル排出装置Ａの設けられたメダル搬送レール３部分を通過する時、この正常メダルＭは、片面側から押圧手段３１の押えローラー３７によって押圧されるが、一方の側板２６ｂに押し付けられた状態でそのまま通過する。而して、この正常メダルＭより径小の異径メダルＭｓが同メダル搬送レール３部分を通過すると、片面側から押圧手段３１の押えローラー３７で押圧されることによって、一方の側板２６ｂの貫通溝２６ｃに形成された排出用切欠部２９，２９により貫通溝２６ｃの外側へ押し出されて排出され、これによって異径メダルＭｓはメダル搬送レール３から排除される。
【０００９】
請求項２に係る発明によれば、軸３６がメダル搬送レール３の長手方向と直交する方向に配置される押えローラー３７からなる押圧手段３１を採用すれば、押圧手段３１の全体構造及びバネ３０との接続構造が簡単となり、製作が容易となる。
【発明を実施するための最良の形態】
【００１０】
図１は本発明の実施形態であるメダル洗浄機の全体を示す斜視図で、この図において、１はメダル貯蔵タンク、２はタンク１から投下されるメダルＭを収容するホッパー、３はメダルＭを常に直立姿勢で搬送するメダル搬送レールで、ホッパー２に接続され且つ水平面に対し垂直な直立面に沿うように延設されており、そしてこのメダル搬送レール３の始端部側に本発明に係る異径メダル排出装置Ａが設けられている。４は、ホッパー２内のメダルＭを１枚ずつメダル搬送レール３へ強制送出するメダル送出手段、５は洗浄手段で、前記直立面に沿って略Ｕ字状に屈曲したメダル搬送レール３の一部を洗浄用温水槽６内の洗浄用温水中に浸漬させて、搬送中のメダルＭの表裏両面を両側一対の回転ブラシ７，７によりブラッシングするようになっている。８は洗浄を終えた直後のメダルＭから水滴を除去する水滴除去手段、９は水滴除去手段８を通過したメダルＭに残存する水分を乾燥させる乾燥手段である。また、１０は装置基台で、その四隅部にキャスターＫが取り付けてある。
【００１１】
ホッパー２は、図２及び図３に示すように、横断面がＵ字状で上部から底部に亘って傾斜した側壁２ａを有し、この側壁２ａには、メダルＭに付着したり混入した異物を排出させる複数の異物排出孔１１が設けられ、またホッパー２の入口部には、タンク１から投下されるメダルＭの重量がホッパー２底部のメダル送出手段４側に直接かかるのを防止するための仕切り板１２が設けてある。
【００１２】
図２〜図７を参照してメダル送出手段４の構造について説明すると、図２に示すようにホッパー２の底部に一定の傾斜姿勢で固定された背板１３の内面に、図５に示すように円形状開口部１４とこの開口部１４の外周部に沿って上向きに抜け出る弧状のメダル送出路１５とを連通形成した中板１６が添設され、この中板１６の内面には、当該中板１６の円形状開口部１４と合致する円形状開口部１７を形成した内板１８が添設されている。更に、中板１６及び内板１８の両開口部１４，１７に嵌合して背板１３の内面に摺接する状態で所定方向に回転する回転円板１９が設けられ、この回転円板１９は、図２に示すように背板１３の外側に設置されたモーター２０によって駆動される。
【００１３】
また、回転円板１９は、内面中央部にメダル誘導案内用の円錐コーン部１９ａを有し、そしてこの円錐コーン部１９ａ周辺部に、図３及び図７に示すように、ホッパー２内のメダルＭを１枚ずつ導入する複数のメダル導入孔２１が周方向一定ピッチで貫設されていると共に、この回転円板１９の外面周辺部には、各メダル導入孔２１に導入されたメダルＭを回転円板１９の回転に伴って当該導入孔２１の奥部から背板１３の内面に沿って前記メダル送出路１５へ１枚ずつ排出するメダル排出部２２が設けられている。
【００１４】
背板１３は、図２に示すように装置基台１０に固定された台座２３上に約６０の傾斜角度で固定され、また背板１３には、図２及び図４の（Ａ）に示すように、メダルＭがメダル導入孔２１から押し出し排出部２２を経てメダル送出路１５へ排出される間に、メダルＭに付着した異物を外部へ排出除去するための複数の異物排出孔２４が設けられている。中板１６に設けられたメダル送出路１５の入口部１５ａは、図３の（Ａ）及び図５から分かるように、回転円板１９の回転方向に沿った円形状開口部１４の接線上に設けられる。また、回転円板１９の外面周辺部に設けられたメダル排出部２２は、図７の（Ｃ）に示すように、隣合う一方のメダル導入孔２１の奥部と他方のメダル導入孔２１との間に形成された凸曲面状端壁部２２ａを有する。
【００１５】
上記のような構成のメダル送出手段４にあっては、ホッパー２に多量のメダルＭを収容した状態でモーター２０を起動して回転円板１９を図３の矢印方向に低速で回転すると、ホッパー２内のメダルＭは、回転円板１９に近づくにつれて漸次図２に示すように起立状態となり、こうして起立状態となったメダルＭは、回転円板１９の円錐コーン部１９ａにより誘導案内されながら１枚ずつ回転円板１９のメダル導入孔２１に導入される。各メダル導入孔２１に導入されたメダルＭは、その奥部に保持されたまま回転円板１９の回転と共に旋回移動して、メダル送出路１５の入口１５ａを臨む位置にきた時、前記メダル排出部２２によってメダル送出路１５へ１枚ずつ排出され、このメダル送出路１５からメダル搬送レール３へ送出されて、図１に示すような数珠つなぎ状態で強制的に搬送される。
【００１６】
このメダル送出手段４のメダル送出路１５に接続されたメダル搬送レール３の大部分は、９０度に曲成されたアール状レール部材２６と直線状に延びたストレートレール部材２５とを相互に接続して、前記直立面に沿うように上下に屈曲させ、図１に示されるような蛇行状に形成される。メダル送出路１５の出口には、図２及び図３に示すように立上用レール部材２７が配設され、最初のアール状レール部材２６に接続されている。この立上用レール部材２７は、図３の（Ａ）及び（Ｂ）に示すように、所定の直径を有するメダルＭの両端面部を支持する一対の帯板２７ａ，２７ａと、メダルＭの表裏両面を支持する一対の側板２７ｂ，２７ｂとによって構成され、片方の側板２７ｂには、メダルＭの直径より小さい幅の窓溝２７ｃが開口されている。この立ち上げ用レール部材２７は、接続部材２８ａ，２８ｂを介してメダル送出手段４のメダル送出路１５に接続される。
【００１７】
アール状レール部材２６は、図３の（Ａ）及び（Ｃ）に示すように、９０度に曲成された一対の帯板２６ａ，２６ａと一対の側板２６ｂ，２６ｂとによって構成され、各側板２６ｂに弧状の貫通溝２６ｃが形成されている。ストレートレール部材２５は、直線状に形成されているだけで、アール状レール部材２６と同様な構成である。
【００１８】
次に、本発明に係る異径メダル排出装置Ａについて図８〜図１２によって説明すると、この異径メダル排出装置Ａは、メダル送出手段４から延出した立ち上げ用レール部材２７とつながる最初のアール状レール部材２６に設けられたもので、図８から分かるように、所定直径（例えば３０ｍｍ）のメダルＭよりも小さい直径（例えば２５ｍｍ）の異径メダルＭｓがレール部材２６の貫通溝２６ｃから外へ抜け出し可能な排出用切欠部２９，２９を一方の側板２６ｂの貫通溝２６ｃの開口端縁部に形成すると共に、コイルバネ３０により付勢されて、他方の側板２６ｂの貫通溝２６ｃから搬送中のメダルＭ，Ｍｓの片面側を押圧する押圧手段３１を設け、而して搬送中の正常なメダルＭに異径メダルＭｓが混入している時その異径メダルＭｓを押圧手段３１により押圧して排出用切欠部２９，２９から排出させるようにしたものである。
【００１９】
上記異径メダル排出装置Ａの構造について更に詳しく説明するならば、図８及び図９に示すように、アール状レール部材２６の中央部分には夫々窓開口部３３ａを形成したブラケット３２，３３が両側板２６ｂ，２６ｂにビス３４止めされ、一方側のブラケット３２の窓開口部３２ａから、貫通溝２６ｃの排出用切欠部２９，２９が見えるようになっている。排出用切欠部２９は、上記のように正常なメダルＭと共に搬送中の異径メダルＭｓを貫通溝２６ｃから排出させるためのもので、図８から分かるように、アール状レール部材２６の中央部分の位置する一方の側板２６ｂに形成されている貫通溝２６ｃの上下に対向する開口端縁部を夫々所要長さに亘って切り欠いたものである。
【００２０】
押圧手段３１は、図１０〜図１１に示すように、台枠３５と、この台枠３５に軸３６によって軸支された押えローラー３７と、前記ブラケット３３の両端部に垂設されていて、台枠３５をブラケット３３に対して接離する方向に移動自在に支持する一対のガイド棒３８，３８と、両ガイド棒３８，３８に夫々嵌装されて、台枠３５をブラケット３３に接する側に押圧付勢するコイルバネ３０，３０とからなるもので、台枠３５に軸支された押えローラー３７が、ブラケット３３の窓開口部３３ａからレール部材２６の両側板２６ｂ，２６ｂの貫通溝２６ｃ，２６ｃを横切って反対側のブラケット３２の窓開口部３２ａに突入するようにコイルバネ３０によって付勢されている。
【００２１】
上記のような構成の異径メダル排出装置Ａによれば、メダルの洗浄にあたってホッパー２に収容されたメダルの中に、適用可能な直径（３０ｍｍ）の正常なメダルＭ以外の直径（２５ｍｍ）の異径メダルＭｓが混入している場合、この異径メダルＭｓは、メダル送出手段４によって正常メダルＭと共にホッパー２からメダル搬送レール３へ送り込まれ、搬送される。而して、正常メダルＭが異径メダル排出装置Ａの設けられたレール部材２６を通過する時、この正常メダルＭは、片面側から押圧手段３１の押えローラー３７によって押圧されるが、図１１の(a) 及び(b) に示すように、一方の側板２６ｂに押し付けられて摺動しつつそのままアール状レール部材２６を通過する。
【００２２】
しかし、異径メダルＭｓが異径メダル排出装置Ａの設けられたレール部材２６を通過する時に、正常メダルＭの場合と同様に片面側から押圧手段３１の押えローラー３７により押圧されると、この異径メダルＭｓは、図１２の(a) 及び(b) に示すように、一方の側板２６ｂの貫通溝２６ｃの開口端縁部に形成された排出用切欠部２９，２９を介して貫通溝２６ｃから外側へ押し出されて排出され、これによって異径メダルＭｓがメダル搬送レール３から排除されることになる。尚、図示は省略するが、この異径メダル排出装置Ａから排出される異径メダルＭｓを受け入れる容器が異径メダル排出装置Ａの近傍に配備されている。
【００２３】
この実施形態では、異径メダル排出装置Ａを、ホッパー２に近い最初のアール状レール部材２６に設けているが、この箇所に限るものではなく、メダル搬送レール３の何処に設けてもよい。但し、正常メダルＭに混入した異径メダルＭｓを早期にメダル搬送レール３から排除するためには、出来るだけホッパー２に近い箇所に設けるのが好ましい。また、メダル搬送レール３は、ストレートレール部材２５とアール状レール部材２６とからなるが、異径メダル排出装置Ａはストレートレール部材２５側よりもアール状レール部材２６側に設ける方が、異径メダルＭｓを有効に排出させることが出来る。
【００２４】
また、この実施形態では、押圧手段３１に、軸３６がメダル搬送レール３の長手方向と直交する方向に配置される押えローラー３７を使用しているが、これに限るものではなく、メダルＭ，Ｍｓの片面に押圧する先端部分が球面状に形成された、非回転押圧部材を使用してもよい。しかし、この実施形態に示すような押えローラー３７を使用すれば、押圧手段３１の全体構造及びバネ３０との接続構造が簡単となり、製作が容易となる。
【００２５】
前記乾燥手段９は、図１に概略図示するように、洗浄手段５によってブラッシング洗浄され更に水滴除去手段８によって水滴を除去されたメダルＭがメダル洗浄機の上部側で水平直線状に搬送される直線状のメダル搬送レール部分３ａを所要長さに亘って密閉状に覆うダクト４０と、このダクト４０内における直線状メダル搬送レール部分３ａの側方にその長さ方向に沿って設けられたハロゲンヒータランプ４１と、ダクト４０の一端側からダクト４０内の直線状メダル搬送レール部分３ａに対しその長手方向に沿って風を送るための例えばシロッコファンからなる送風手段４２とからなる。この乾燥手段９により乾燥されて水分を除去されたメダルＭは、メダル搬送レール３の最終ストレートレール部材２５を通って、その先端から排出される。尚、図１において、４３は電源スイッチ４４その他を設けた操作ボックスである。
【図面の簡単な説明】
【００２６】
【図１】本発明に係るメダル洗浄機の全体を示す斜視図である。
【図２】同メダル洗浄機のホッパー及びメダル送出手段を示す一部断面側面図である。
【図３】(a) は同メダル洗浄機のホッパーならびにメダル送出手段を示す一部断面正面図、(b) は(a) のＸ−Ｘ線断面図、(c) は(a) のＹ−Ｙ線断面図である。
【図４】(a) はメダル送出手段の背板を示す正面図、(b) は同背板の  側面図である。
【図５】(a) はメダル送出手段の中板を示す正面図、(b) は同中板の  側面図である。
【図６】(a) はメダル送出手段の内板を示す正面図、(b) は同内板の  側面図である。
【図７】(a) はメダル送出手段の回転円板を示す正面図、(b) は同回転円板の側面図、(c) は同回転円板の背面図である。
【図８】図３の一部拡大図で、異径メダル排出装置の正面図である。
【図９】図８に示す異径メダル排出装置の背面図である。
【図１０】図８の矢印Ｚから見た異径メダル排出装置の側面図である。
【図１１】正常メダルが異径メダル排出装置を通過する状態を示すもので、(a) は図８のＶ−Ｖ線断面図、(b) は図８のＷ−Ｗ線断面図である。
【図１２】異径メダルが異径メダル排出装置によって排出される状態を示すもので、(a) は図８のＶ−Ｖ線断面図、(b) は図８のＷ−Ｗ線断面図である。
【符号の説明】
【００２７】
Ｍ          正常メダル
Ｍｓ        異径メダル
１          メダル貯蔵タンク
２          ホッパー
３          メダル搬送レール
４          メダル送出手段
２６ａ      メダル搬送レールの帯板
２６ｂ      メダル搬送レールの側板
２６ｃ      メダル搬送レールの貫通溝
２９        排出用切欠部
３０        バネ
３１        押圧手段
３５        台枠
３６        軸
３７        押えローラー
３８        ガイド棒
【図１】
2005143780.tif 000003
【図２】
2005143780.tif 000004
【図３】
2005143780.tif 000005
【図４】
2005143780.tif 000006
【図５】
2005143780.tif 000007
【図６】
2005143780.tif 000008
【図７】
2005143780.tif 000009
【図８】
2005143780.tif 000010
【図９】
2005143780.tif 000011
【図１０】
2005143780.tif 000012
【図１１】
2005143780.tif 000013
【図１２】
2005143780.tif 000014